(57)【要約】      （修正有）【課題】背凭れが運転者の背部を支持する位置と同乗者の背部を支持する位置とを移動して固定でき、必要に応じて運転者または同乗者の背部を支持する背凭れ装置及び該装置を備える騎乗車を提供する。【解決手段】シートの上方に設けられる背凭れと共に車体の左右外側面に沿って前後方向に移動可能な背凭れ装置であって、車体の左右外側面に沿って前後方向に対称的に延伸するように固定可能な一対の案内レール５１，５２と、案内レール５１，５２に、前後方向に案内されて摺動可能に設けられた一対の摺動手段５３と、互いに対称するように延伸し、且つ各々が両端部を有し、一端部が摺動手段５３に左右回転可能に枢支され、他端部が上方へ延伸するように設置される一対の支持バー５４１を有する支持フレーム５４と、一対の支持バー５４１の他端に左右遊動可能に保持されて摺動手段５３の摺動に伴い、前後方向に移動可能な背凭れ手段５５とを備えている。【選択図】図３
0003101905.tif 000002
【実用新案登録請求の範囲】
【請求項１】
その全体が車体の両側の左右対称的な外側面に沿って前後方向に移動し、その車体のシートの上方に設けられる背凭れをそれと共に移動させることができる背凭れ装置であって、
前記車体の両側の左右対称的な外側面に沿って前後方向に対称的に延伸するように固定することができる一対の案内レールと、
それぞれ前記一対の案内レールに、前後方向に案内されて摺動することができるように設けられている一対の摺動手段と、
互いに対称するように延伸しており、且つそれぞれが両端部を有し、一端部が前記摺動手段に左右回転可能に枢支され、他端部が上方へ延伸するように設置される一対の支持バーを有する支持フレームと、
前記一対の支持バーの他端に左右遊動可能に保持されていて前記摺動手段の摺動に伴い、前記前後方向に移動することができる背凭れ手段とを備えており、
それにより、前記背凭れが騎乗車のシートの上方にあるように装着されると、前記支持フレームが前記背凭れを携えて、前記摺動部材の摺動に従って前記両側の外側面に沿って前後移動することができるように構成されていることを特徴とする車用背凭れ装置。
【請求項２】
前記一対の案内レールは、それぞれ外側へ向かう側面に前記前後方向に沿ってスロットが開設してある中空管であり、
前記摺動手段は、前記案内レールの中空空間内に前記前後方向に沿って摺動可能に設けられている摺動部材と、前記案内レールのスロット外にあって前記スロットを経由して前  記摺動部材に連結されている連結部材とを有し、
前記背凭れ手段は、前後両面を有し、前面が使用者の背部を支持する前記背凭れとされ、前記背凭れの後面に設けられていて弾性付勢部材によって前記一対の支持バーの他端をその間から両方の外へ所定範囲まで押し付けている支持手段を有し、
それにより、前記背凭れが騎乗車のシートの上方にあるように装着されると、前記一対の支持バーが前記支持フレームの前後摺動に従ってそれらの一端部の間の幅が変動する際、それらの他端部も前記弾性付勢部材に抗してそれらの間の幅を対応的に変えることができるように構成されていることを特徴とする請求項１に記載の車用背もたれ装置。
【請求項３】
前記背凭れ手段は、更に前記背凭れの後面に、下方へ向いて開口している作動空間を有するケースを有し、
前記一対の支持バーはそれぞれ一端部が前記連結部材に枢支され、他端部が前記ケースの下開口から前記作動空間内に挿入しており、
前記支持手段は、前記作動空間内に左右延伸するように、その両端が前記ケースの左右対称的な壁面に固定されて架設されており、且つその外周面に前記弾性付勢部材としてのコイルバネが左右延伸するように外嵌している支持棒と、それぞれ前記支持棒の前記両端近くにに嵌設されていて前記弾性付勢部材によって押し付けられ前記一対の支持バーの他端と当接している一対の作動部材とを有することを特徴とする請求項２に記載の車用背凭れ装置。
【請求項４】
前記一対の案内レール上に、複数の係止孔が間隔をあけて形成されており、
前記摺動手段は、その端部に前記係止孔に挿入するための係止部を有し、且つ前記連結部材に弾性回復手段に対抗するように軸支されていて前記係止部により前記係止孔と着脱可能に結合することができる摺動止め部材を有することを特徴とする請求項２に記載の車用背凭れ装置。
【請求項５】
車体のシートの上方に背凭れが前後方向に移動可能に架設されている騎乗車。
【請求項６】
車体のシートの上方に背凭れが前後方向に移動可能に架設されている騎乗車であって、
前記背凭れを架設するための背凭れ装置は、
前記シートと対応する前記車体の両側の左右対称的な外側面に沿って前後方向に対称的に延伸するように固定されている一対の案内レールと、
それぞれ前記一対の案内レールに、前後方向に案内されて摺動することができるように設けられている一対の摺動手段と、
互いに対称するように延伸しており、且つそれぞれが両端部を有し、一端部が前記摺動手段に左右回転可能に枢支され、他端部が上方へ延伸するように設置されている一対の支持バーを有する支持フレームと、
前記一対の支持バーの他端に左右遊動可能に保持されていて前記摺動手段の摺動に伴い、前記前後方向に移動することができる背凭れ手段とを備えており、
それにより、前記支持フレームが前記背凭れを携えて、前記摺動部材の摺動に従って前記両側の外側面に沿って前後移動することができるように構成されていることを特徴とする騎乗車。
【考案の詳細な説明】
【技術分野】
【０００１】
本考案は車用背凭れ装置に関し、特に、オートバイなどの騎乗車に装着し、運転者または同乗者の背部を支持することができる車用背凭れ装置及び該装置を備える騎乗車に関する。
【背景技術】
【０００２】
一般的には、例えばオートバイなどの騎乗車において、図１に示すように、シート１の後側に背凭れ２が設けられており、同乗者の上背部または下背部（図示のは下背部）を後ろから支持することができるが、この背凭れ２は前記車体に固定されているので、同乗者の背部だけを支持し、必要に応じて運転者の背部を支持することができる位置に移動することができないという欠点がある。
【考案の開示】
【考案が解決しようとする課題】
【０００３】
上記に鑑みて、本考案の目的は、車体に設置されると、その背凭れが運転者の背部を支持する位置と同乗者の背部を支持する位置とに移されてから固定されることができ、必要に応じて運転者または同乗者の背部を支持する背凭れ装置及び該装置を備える騎乗車を提供しようとすることにある。
【課題を解決するための手段】
【０００４】
上記課題を解決するため、本考案に係る騎乗車は、車体のシートの上方に背凭れが前後方向に移動可能に架設されていることを特徴とする。
【０００５】
また、本考案に係る車用背もたれ装置は、背凭れを騎乗車の車体のシートの上方に前後方向に移動可能に架設することができる車用背凭れ装置、即ち、その全体が車体の両側の左右対称的な外側面に沿って前後方向に移動し、その車体のシートの上方に設けられる背凭れをそれと共に移動させることができる背凭れ装置であって前記車体の両側の左右対称的な外側面に沿って前後方向に対称的に延伸するように固定されることができる一対の案内レールと、それぞれ前記一対の案内レールに、前後方向に案内されて摺動することができるように設けられている一対の摺動手段と、互いに対称するように延伸しており、且つそれぞれが両端部を有し、一端部が前記摺動手段に左右回転可能に枢支され、他端部が上方へ延伸するように設置される一対の支持バーを有する支持フレームと、前記一対の支持バーの他端に左右遊動可能に保持されていて前記摺動手段の摺動に伴い、前記前後方向に移動することができる背凭れ手段とを備えている車用背凭れ装置を提供する。
【０００６】
それにより、前記背凭れが騎乗車のシートの上方にあるように装着されると、前記支持フレームが前記背凭れを携えて、前記摺動部材の摺動に従って前記両側の外側面に沿って前後移動することができる。従って、本考案の車用背凭れ装置は、必要に応じて、前記背凭れを車体の運転者または同乗者の背部を支持することができる位置に移すことができるので、騎乗中に心地よさが従来より良い。
【０００７】
上記に基づいて、本考案は一方、車体のシートの上方に背凭れが前後方向に移動可能に架設されている騎乗車であって、前記背凭れを架設するための背凭れ装置は、前記シートと対応する前記車体の両側の左右対称的な外側面に沿って前後方向に対称的に延伸するように固定されている一対の案内レールと、それぞれ前記一対の案内レールに、前後方向に案内されて摺動することができるように設けられている一対の摺動手段と、互いに対称するように延伸しており、且つそれぞれが両端部を有し、一端部が前記摺動手段に左右回転可能に枢支され、他端部が上方へ延伸するように設置されている一対の支持バーを有する支持フレームと、前記一対の支持バーの他端に左右遊動可能に保持されていて前記摺動手段の摺動に伴い、前記前後方向に移動することができる背凭れ手段とを備えており、それにより、前記支持フレームが前記背凭れを携えて、前記摺動部材の摺動に従って前記両側の外側面に沿って前後移動することができることを特徴とする騎乗車を提供する。
【０００８】
また、前記一対の案内レールは、それぞれ外側へ向かう側面に前記前後方向に沿ってスロットが開設してある中空管であり、前記摺動手段は、前記案内レールの中空空間内に前記前後方向に沿って摺動可能に設けられている摺動部材と、前記案内レールのスロット外にあって前記スロットを経由して前記摺動部材に連結されている連結部材とを有し、前記背凭れ手段は、前後両面を有し、前面が使用者の背部を支持する前記背凭れとされ、前記背凭れの後面に設けられていて弾性付勢部材によって前記一対の支持バーの他端をその間から両方の外へ所定範囲まで押し付けている支持手段を有することが好ましい。それにより、前記背凭れが騎乗車のシートの上方にあるように装着されると、前記一対の支持バーが前記支持フレームの前後摺動に従ってそれらの一端部の間の幅が変動する際、それらの他端部も前記弾性付勢部材に抗してそれらの間の幅を対応的に変えることができる。
【０００９】
また、前記一対の案内レール上に、複数の係止孔が間隔をあけて形成されており、前記摺動手段は、その端部に前記係止孔に挿入するための係止部を有し、且つ前記連結部材に弾性回復手段に対抗するように軸支されていて前記係止部により前記係止孔と着脱可能に結合することができる摺動止め部材を有することが好ましい。それにより、前記摺動手段は車体の運転者または同乗者の背部を支持することができる位置に固定されることができ、騎乗中の摺動を阻止することができる。
【考案を実施するための最良の形態】
【００１０】
以下、図面を参照しながら、本考案の好適な実施形態を説明する。以下の実施形態では、本考案の車用背凭れ装置がオートバイに装着されている場合を例として説明するが、本考案はオートバイに限らず、スノーモービルや他の電動車両にも適用される。
【００１１】
図２に示すのは、本考案の実施形態における車用背凭れ装置がオートバイに装着された場合を示す上面図である。本実施形態において、オートバイの本考案の特徴に関わる構造のは車体３のシート３１に関連しており、他の構造は従来のオートバイと同様であるので、その図示及び説明を省略する。図示のように、本実施形態の車用背凭装置５は、その全体が車体３の両側の左右対称的な外側面に沿って前後方向に移動し、その車体３のシート３１の上方に設けられている背凭れ５５１をそれと共に移動させることができるように構成されている。
【００１２】
より詳しくは、車用背凭れ装置５は、車体３の両側の左右対称的な外側面に沿って前後方向に対称的に延伸するように固定されている左右一対の案内レール５１，５２と、一対の案内レール５１，５２の各々に、前後方向に案内されて摺動することができるように設けられている一対の摺動手段５３と、互いに対称するように延伸しており、且つそれぞれが両端部を有し、一端部が摺動手段５３に左右回転可能に枢支され、他端部が上方へ延伸するように設置されている一対の支持バー５４１を有する支持フレーム５４と、一対の支持バー５４１の他端に左右遊動可能に保持されていて摺動手段５３の摺動に伴い、前記前後方向に移動することができる背凭れ手段５５とを備えている。
【００１３】
そして、図３に示すように、一対の案内レール５１，５２は、それぞれ外側へ向かう側面に前記前後方向に沿ってスロット５１１，５２１が開設してある中空管である。本実施形態において一対の案内レール５１，５２は、車体３のシート３１の同乗者位置と対応する両側の左右対称的な外側面に固定されているが、車体３のカーブに合わせて車体に左右対称的に固定されるために、一対の案内レール５１，５２の構成材料は、例えば可撓性材料を使用することが好ましい。
【００１４】
摺動手段５３は、案内レール５１，５２の中空空間内に前記前後方向に沿って摺動可能に設けられている摺動部材５３１と、案内レール５１，５２のスロット５１１，５２１外にあってスロット５１１，５２１を経由して摺動部材５３１に連結されている連結部材５３２とを有する。背凭れ手段５５は、前後両面を有し、前面が使用者の背部を支持する背凭れ５５１と、背凭れ５５１の後面に設けられていて弾性付勢部材５５４によって一対の支持バー５４１の他端をその間から両方の外へ所定範囲まで押し付けている支持手段５５２とを有する。
【００１５】
そして、背凭れ手段５５は、背凭れ５５１の後面に、下方へ向いて開口している作動空間５５３ａを有するケース５５３が設けてある。
【００１６】
一対の支持バー５４１はそれぞれ一端部が連結部材５３２に枢支され、他端部がケース５５３の下開口から作動空間（５５３ａ）内に挿入している。
【００１７】
支持手段５５２は、作動空間（５５３ａ）内に左右延伸するように、その両端がケース５５３の左右対称的な壁面５５３ｂに固定されて架設されており、且つその外周面に弾性付勢部材５５４としてのコイルバネが左右延伸するように外嵌している支持棒５５５と、それぞれ支持棒５５５の前記両端近くに嵌設されていて弾性付勢部材５５４によって押し付けられ一対の支持バー５４１の他端と当接している２つの作動部材５５６とを有する。一対の支持バー５４１の他端に互いに対向している凹陥面を有する窪み部５４２が形成されており、作動部材５５６は一対の支持バー５４１の窪み部５４２の前記凹陥面と密接している半球面を有する半球体５５６１と、前記半球面の反対側の平面のほぼ中心位置から左右方向に延伸して弾性付勢部材５５４の両端に内嵌している柱体５５６２とからなっている。
【００１８】
また、図２に示すように、一対の案内レール５１，５２上に、複数の係止孔５１２，５２２が間隔をあけて形成されている。一対の摺動手段５３は、その端部に係止孔５１２，５２２に挿入するための係止部５３５を有し、且つ連結部材５３２に弾性回復手段５３４としての圧縮ばねに対抗するように軸支されていて係止部５３５により係止孔５１３と着脱可能に結合することができる摺動止め部材５３３を有する。
【００１９】
図３及び図５に示すように、運転者自身が背凭れ５５１を使用しようとする場合、支持フレーム（５４）全体を運転者の背部を支持することができる位置（図３及び図５において実線で示す）に移し、その時、摺動手段５３の摺動部材５３１が支持フレーム（５４）の移動に従い、案内レール５１，５２に沿って前記位置の対応位置まで摺動するので、そこで摺動止め部材５３３の係止部５３５を複数の係止孔５１２，５２２のそれと対応する一つと係止させ、支持フレーム（５４）全体を運転者の背部を支持することができる位置に固定する。
【００２０】
逆に、背凭れ５５１を同乗者の使用位置（図３及び図５において二点鎖線で示す）に戻しようとする場合、先ず、摺動止め部材５３３の係止部５３５を複数の係止孔５１２，５２２の前記位置と対応する一つから抜出し、そして、支持フレーム（５４）全体を同乗者の使用位置へ移し、その際、一対の支持バー５４１の一端部が、支持フレーム５４の前後摺動に従ってその間の幅が車体の幅に応じて変動し、それにつれて、それらの他端部も弾性付勢部材５５４に抗して作動部材５５６の半球体５５６１の半球面を押してその間の幅を対応的に変え（広い幅から狭い幅に変更する，図３及び図５において二点鎖線で示す）、摺動手段５３の摺動部材５３１がその移動に従い、案内レール５１，５２に沿って同乗者の使用位置まで摺動するので、そこで摺動止め部材５３３の係止部５３５を複数の係止孔５１２，５２２のそれと対応する一つに係止させ、摺動手段５３を同乗者の使用位置に固定する。
【産業上の利用可能性】
【００２１】
上記のように、本考案の車用背凭れ装置は、騎乗車車体のシートの上方に背凭れを前後方向に移動可能に架設することができるので、オートバイやスノーモビール，他の電動車両などの騎乗車に適用される。
【図面の簡単な説明】
【００２２】
【図１】従来のオートバイのシート後側に設けられている背凭れを示す斜視図である。
【図２】本考案の実施形態における車用背凭れ装置がオートバイのシートと対応する車体に装着された場合を示す上面図である。
【図３】図２のＡ−Ａ断面図である。
【図４】図２の部分拡大図である。
【図５】実施形態における車用背凭れ装置がオートバイのシートと対応する車体に装着された場合を示す側面図である。
【符号の説明】
【００２３】
１      シート
２      背凭れ
３      車体
３１    シート
５      車用背凭れ装置
５１    案内レール
５１１  スロット
５１２  係止孔
５２    案内レール
５２１  スロット
５２２  係止孔
５３    摺動手段
５３１  摺動部材
５３２  連結部材
５３３  摺動止め部材
５３４  弾性回復手段
５３５  係止部
５４    支持フレーム
５４１  支持バー
５４２  凹陥部
５５    背凭れ手段
５５１  背凭れ
５５２  支持手段
５５３  ケース
５５３ａ  作動空間
５５３ｂ  壁面
５５４  弾性付勢部材
５５５  支持棒
５５６  作動部材
５５６１  半球体
５５６２  柱体
【図１】
0003101905.tif 000003
【図２】
0003101905.tif 000004
【図３】
0003101905.tif 000005
【図４】
0003101905.tif 000006
【図５】
0003101905.tif 000007